(57)【要約】【課題】昇降路の幅方向寸法を短縮して建屋内のスペース利用効率を高めることができるエレベータの着床装置を提供する。【解決手段】昇降路１内を昇降するかご２が階床に到達したときに、それを検出器５と被検出体８とで検出して着床させるエレベータの着床装置において、前記検出器５は、光を出射する発光部６および光を入射する受光部７を備え、その光の出射および入射の方向が前記かご２の奥行方向に沿うようにそのかごの敷居部３にホルダ４を介して取り付け、前記被検出体８は、光を反射させる反射部８ａを有し、その反射部が前記検出器５の発光部６および受光部７と対向するように前記昇降路１におけるホールドア用の敷居部１５に取り付ける。【選択図】　　図２
2004010336.tif 000002
【特許請求の範囲】
【請求項１】
昇降路内を昇降するかごが階床に到達したときに、それを検出器と被検出体とで検出して着床させるエレベータの着床装置において、
前記検出器は、光を出射する発光部および光を入射する受光部を備え、その光の出射および入射の方向が前記かごの奥行方向に沿うようにそのかごの敷居部に設けられ、前記被検出体は、光を反射させる反射部を有し、その反射部が前記検出器の発光部および受光部と対向するように前記昇降路に設けられていることを特徴とするエレベータの着床装置。
【請求項２】
前記被検出体は、前記昇降路におけるホールドア用の敷居部、あるいは前記昇降路の内壁面、もしくは前記昇降路内の釣り合い重り用のガイドレールのいずれかに取り付けられていることを特徴とする請求項１に記載のエレベータの着床装置。
【発明の詳細な説明】
【０００１】
【発明の属する技術分野】
この発明は、昇降路内を昇降するかごが階床に到達したときにそれを検出して着床させるエレベータの着床装置に関する。
【０００２】
【従来の技術】
この種の着床装置は、発光部および受光部を有する光学式の検出器をかごに取り付けると共に、かごが昇降する昇降路内に前記検出器と対向可能な被検出体を設けてなる。
【０００３】
検出器の発光部からは光が出射され、かごが建屋の階床に到達したときに、発光部から出射する光が前記被検出体の反射部に当って反射し、この反射した光が検出器の受光部に入射し、この光の入射による信号に基づいてかごが階床に着床するように制御される。
【０００４】
図６には、従来の着床装置を示してあり、１が昇降路、２がこの昇降路１内を昇降するかごで、かご１は出入口ドアを支持してその開閉動作の案内を果たす敷居部３を有し、この敷居部３の端部はかご１の側面からその外方に比較的大きく突出し、この敷居部３の端部にホルダ４を介して検出器５が取り付けられている。
【０００５】
この検出器５は発光部６および受光部７を有し、発光部６からの光の出射方向および受光部７への光の入射方向が、かご１の幅方向にほぼ沿う方向となっている。
【０００６】
昇降路１の内壁面には、被検出体８が取り付けられ、この被検出体８はＬ状に屈曲する板材からなり、その一側面が昇降路１の壁面にねじ等により固定され、他側面が反射部８ａとして前記敷居部３の端部の外方側に延びて前記検出器５の発光部６および受光部７と所定の検出距離Ｌをあけて対向するように配置されている。そして反射部８ａの周囲からその後方側つまり検出器５の反対側には、光の誤反射による検出器５の誤作動を防止するための空間距離Ｍが確保されている。
【０００７】
このような構成において、検出器５の発光部６からは光が出射され、この状態でかご２が昇降路１内を昇降する。そしてかご２が階床に近づいて検出器５が被検出体８の反射部８ａに対向すると、発光部６から出射する光がその反射部８ａに当って反射し、この反射した光が受光部７に入射し、この光の入射による信号に基づいてかご２が階床に着床するように制御される。
【０００８】
【発明が解決しようとする課題】
ところが、このような従来の着床装置においては、検出器５における光の出射および入射の方向がかご２の幅方向に沿う状態にあり、したがって被検出体８の反射部８ａをその検出器５と対向するようにかご２の幅方向外方側に配置させ、検出器５の発光部６および受光部７と被検出体８の反射部８ａとの間に検出距離Ｌを確保するとともに、反射部８ａと昇降路１の内壁面との間に誤反射防止用の空間距離Ｍを確保しなければならない。
【０００９】
このため、昇降路１の幅方向寸法をその検出距離Ｌと空間距離Ｍの分を加算した寸法としなければならず、このため昇降路１の幅方向寸法が増大し、建屋内のスペース利用効率が低下する難点がある。
【００１０】
この発明はこのような点に着目してなされたもので、その目的とするところは、検出器からの光を反射させる被検出体の反射部をかごの奥行方向に沿うように設けることにより昇降路の幅方向寸法を短縮して建屋内のスペース利用効率を高めることができるエレベータの着床装置を提供することにある。
【００１１】
【課題を解決するための手段】
請求項１の発明は、昇降路内を昇降するかごが階床に到達したときに、それを検出器と被検出体とで検出して着床させるエレベータの着床装置において、前記検出器は、光を出射する発光部および光を入射する受光部を備え、その光の出射および入射の方向が前記かごの奥行方向に沿うようにそのかごの敷居部に設けられ、前記被検出体は、光を反射させる反射部を有し、その反射部が前記検出器の発光部および受光部と対向するように前記昇降路に設けられていることを特徴としている。
【００１２】
そして請求項２に発明においては、前記被検出体が、前記昇降路におけるホールドア用の敷居部、あるいは前記昇降路の内壁面、もしくは前記昇降路内の釣り合い重り用のガイドレールのいずれかに取り付けられていることを特徴としている。
【００１３】
【発明の実施の形態】
以下、この発明の実施の形態について図１ないし図５を参照して説明する。なお、従来の構成と対応する部分には同一符号を付してその詳細な説明を省略する。
図１および図２にはこの発明の第１の実施形態を示してあり、この実施形態においては、かご１の敷居部３の端部にホルダ４を介して検出器５が取り付けられている。
【００１４】
ホルダ４は、図３（Ａ），（Ｂ），（Ｃ）に示すように、敷居部３の下面にボルト・ナット１０を介して取り付けられている。そしてこのホルダ４は、敷居部３の一側縁と平行に配置してその下方側に延びる側板１２を有し、この側板１２の側面に上下三段に亘るように支持片１３が形成され、これら支持片１３の上に発光部６および受光部７を有する検出器５がそれぞれ取り付けられている。
【００１５】
各検出器５は、例えば発光部６をＬＥＤ（発光ダイオード）とし、受光部７をフォトトランジスタとする光反射型フォトインタラプタであり、その発光部６からの光の出射方向および受光部７への光の入射方向がかご１の奥行方向に沿うように支持片１３の上に取り付けられている。
【００１６】
一方、被検出体８は、図１および図２に示すようにほぼコ字状をなし、その一側部が昇降路１に臨んで設けられたホールドア用の敷居部１５に取り付けられている。そしてこの被検出体８の反射部８ａがかご２の敷居部３の端部外周側を回り込んで前記検出器５における発光部６および受光部７と対向するように配置され、この反射部８ａと発光部６および受光部７との間に所定の検出距離Ｌが確保されている。そして反射部８ａの周囲からその後方側つまり検出器５の反対側には、光の誤反射による検出器５の誤作動を防止するための空間距離Ｍが確保されている。
【００１７】
なお、図１に示す１６はかご２の昇降を案内するかご用ガイドレール、１７はかご２とメインロープ（図示せず）を介して連結され、かご２と逆方向に昇降するつり合い重り、１８はそのつり合い重り１８の昇降を案内するつり合い重り用ガイドレールである。
【００１８】
検出器５の発光部６からは光が出射され、この状態でかご２が昇降路１内を昇降する。そしてかご２が階床に近づいて検出器５が被検出体８の反射部８ａに対向すると、発光部６から出射する光がその反射部８ａに当って反射し、この反射した光が受光部７に入射し、この光の入射による信号に基づいてかご２が階床に着床するように制御される。
【００１９】
ここで、発光部６からの光の出射方向および受光部７への光の入射方向がかご１の奥行方向に沿う方向であり、このため検出器５と反射部８ａとの間に確保する検出距離Ｌ、および反射部８ａの後方側に確保する空間距離Ｍはかご２の敷居部３とかご２の側面との間に生じているデットスペース内に位置し、したがって昇降路１の幅方向寸法中にその検出距離Ｌおよび空間距離Ｍ分を加算するような必要がなく、このため昇降路１の幅方向寸法を短縮して建屋内のスペース利用効率を高めることができる。
【００２０】
なお、検出距離Ｌおよび空間距離Ｍは、かご２の敷居部３とかご２の側面との間に生じているデットスペース内に確保するものであるから、昇降路１の奥行方向寸法が増大するようなことはない。
また、検出器５はかご２の敷居部３を基準にして取り付けられ、被検出体８は昇降路１におけるホールドア用の敷居部１５を基準にして取り付けられており、このため検出器５と被検出体８との位置を適正に保って特別な調整を要することなく、容易にかご２を所定のレベルに着床させることができる。
【００２１】
図４にはこの発明の第２の実施形態を示してあり、この実施形態においては、かご１の敷居部３の端部にホルダ４を介して検出器５が取り付けられ、この検出器５の発光部６の光の出射方向および受光部７への光の入射方向がかご１の奥行方向に沿う方向となっている。
【００２２】
そして被検出体８が昇降路１の内壁面に取り付けられ、この被検出体８の反射部８ａが検出器５における発光部６および受光部７と対向するように配置され、この反射部８ａと発光部６および受光部７との間に所定の検出距離Ｌが確保され、反射部８ａの後方側に誤反射防止用の空間距離Ｍが確保されている。
【００２３】
このような構成においても、発光部６からの光の出射方向および受光部７への光の入射方向がかご１の奥行方向に沿う方向で、検出器５と反射部８ａとの間に確保する検出距離Ｌおよび誤反射防止用の空間距離Ｍがかご２の敷居部３とかご２の側面との間のデットスペース内に位置するため、昇降路１の幅方向寸法中にその検出距離Ｌおよび空間距離Ｍ分を加算する必要がなく、したがって昇降路１の幅方向寸法を短縮して建屋内のスペース利用効率を高めることができる。
【００２４】
図５にはこの発明の第３の実施形態を示してあり、この実施形態においては、かご１の敷居部３の端部にホルダ４を介して検出器５が取り付けられ、この検出器５の発光部６の光の出射方向および受光部７の光の入射方向がかご１の奥行方向に沿う方向となっている。
【００２５】
そして被検出体８が昇降路１内のつり合い重り用のガイドレール１８に取り付けられ、この被検出体８の反射部８ａが検出器５における発光部６および受光部７と対向するように配置され、この反射部８ａと発光部６および受光部７との間に所定の検出距離Ｌが確保され、反射部８ａの後方側に誤反射防止用の空間距離Ｍが確保されている。
【００２６】
このような構成においても、発光部６からの光の出射方向および受光部７への光の入射方向がかご１の奥行方向に沿う方向で、検出器５と反射部８ａとの間に確保する検出距離Ｌおよび誤反射防止用の空間距離Ｍがかご２の敷居部３とかご２の側面との間のデットスペース内に位置するため、昇降路１の幅方向寸法中にその検出距離Ｌおよび空間距離Ｍ分を加算する必要がなく、したがって昇降路１の幅方向寸法を短縮して建屋内のスペース利用効率を高めることができる。
【００２７】
なお、この発明は、かごの出入口ドアが片開き式の場合であっても、両開き式の場合であっても適用することが可能である。
【００２８】
【発明の効果】
以上説明したようにこの発明によれば、検出器と被検出体との間に確保する検出距離をかごの奥行方向に沿うように設ければよく、このため昇降路の幅方向寸法を短縮して建屋内のスペース利用効率を高めることができる。
【図面の簡単な説明】
【図１】この発明の第１の実施形態に係る着床装置の平面構成図。
【図２】その着床装置を拡大して示す平面構成図。
【図３】その着床装置における検出器の取り付け構造を示し、（Ａ）はその平面図、（Ｂ）は同じく正面図、（Ｃ）は同じく側面図。
【図４】この発明の第２の実施形態に係る着床装置の平面構成図。
【図５】この発明の第３の実施形態に係る着床装置の平面構成図。
【図６】従来の着床装置の平面構成図。
【符号の説明】
１…昇降路
２…かご
３…敷居部
４…ホルダ
５…検出器
６…発光部
７…受光部
８…被検出体
８ａ…反射部
１２…側板
１３…支持片
１５…ホールドア用敷居部
１６…かご用ガイドレール
１７…つり合い重り
１８…つり合い重り用ガイドレール
【図１】
2004010336.tif 000003
【図２】
2004010336.tif 000004
【図３】
2004010336.tif 000005
【図４】
2004010336.tif 000006
【図５】
2004010336.tif 000007
【図６】
2004010336.tif 000008